(57)【特許請求の範囲】
【請求項１】
釣り竿に取り付けられ、糸繰り出し時にロータを制動可能なロータドラグ型のスピニングリールであって、
リールボディと、前記リールボディから延びる釣り竿の取付部と、前記リールボディに回転自在に支持されたハンドルとを有するリール本体と、
前記リールボディに前後の軸回りに回転自在に支持されたロータと、
前記ロータの前方に前記リールボディに前後移動自在に設けられたスプールと、
前記リールボディに糸巻取方向にのみ回転可能に支持され前記ハンドルに連動して回転するピニオンギアと、前記ピニオンギアとロータとの間に設けられ、それらを係脱する係脱手段と、前記係脱手段を係脱操作するための操作手段と、前記ハンドルの回転に応じて前記スプールを前後移動させるスプール移動手段と、前記係脱手段を係合状態に保持する係合保持手段とを有し、前記ハンドルの回転に連動して前記ロータを回転させかつ前記スプールを前後移動させる動力伝達機構とを備え、
前記係脱手段は摩擦により動力を伝達し、前記操作手段は摩擦力を調整して前記係脱操作を行う、スピニングリール。
【請求項２】
前記操作手段は、前記リール本体に対して移動して摩擦力を調整する操作レバーを有している、請求項１に記載のスピニングリール。
【請求項３】
前記操作レバーは、前記取付部に近接して前記リール本体に移動自在に配置され、前記釣り竿を握持する操作によって移動して摩擦力を調整する、請求項２に記載のスピニングリール。
【請求項４】
前記操作手段は、回動することで前記リール本体の前後に移動して摩擦力を調整する回動部材を有している、請求項１に記載のスピニングリール。
【請求項５】
前記ロータは、前記ピニオンギアと一体回転する筒状体に回転自在に支持されている、請求項１から４のいずれかに記載のスピニングリール。
【請求項６】
前記スプール移動手段は、前記ロータと連動回転して前記スプールを前後移動させる、請求項１から５のいずれかに記載のスピニングリール。
【請求項７】
前記リールボディを前記取付部に前記ハンドルの回転軸と平行な軸回りに揺動可能に連結する連結手段と、
前記リールボディの揺動位置を調整するための揺動位置調整手段とをさらに備えた、請求項１から６のいずれかに記載のスピニングリール。
【請求項８】
前記連結手段は、前記リールボディを前記取付部に前記ハンドル軸回りに揺動自在に連結する、請求項７に記載のスピニングリール。
【請求項９】
前記スプール移動手段は、前記係脱手段を経由することなく前記ロータと連動回転して前記スプールを前後移動させる、請求項１から８のいずれかに記載のスピニングリール。
【発明の詳細な説明】
【０００１】
【発明の属する技術分野】
本発明は、スピニングリール、特に、釣り竿に取り付けられ、糸繰り出し時にロータを制動可能なロータドラグ型のスピニングリールに関する。
【０００２】
【従来の技術】
スピニングリールにおいて、通常、スプールを糸繰り出し方向に回転させつつ制動することでドラグ動作させている。このようにスプールを回転させると、糸巻き取りと繰り出しとを繰り返すうちに糸ヨレが累積してくるため、ロータを糸繰り出し方向に逆転させることでドラグ動作を行うロータドラグ型のものが実用化されている。
【０００３】
ロータドラグ型のスピニングリールは、一般に、ハンドルを有するリール本体と、リール本体に回転自在に支持されハンドルにより回転するピニオンギアと、リール本体に回転自在に支持されピニオンギアにより回転するロータと、リール本体に前後移動自在に支持されたスプール軸を含むスプールと、ピニオンギアに連動してスプール軸を前後移動させるレベルワインド機構と、逆転時にロータを制動する制動機構を有している（実公平３−６７５７４号，実公平３−５６３７０号公報等）。ロータは、回転がスムーズになるようにバランスが取られている。制動機構は、ロータの逆転にのみ連動して回転する制動板と、リール本体に揺動自在に支持され制動板をリール本体に圧接して制動する制動レバーとを有している。
【０００４】
このような制動機構を有するロータドラグ型のスピニングリールでは、糸繰り出し時には、ベールを糸解放姿勢に揺動させる。また、釣り糸を巻き取るときには、ハンドルを操作してロータを糸巻取方向に正転させて釣り糸をスプールに巻き取る。一方、釣り糸をスプールから繰り出して魚とのやりとりを行う際には、制動レバーにより制動板をリール本体に圧接して逆転するロータを制動しドラグ動作を行っている。
【０００５】
【発明が解決しようとする課題】
前記従来の構成では、魚とのやりとりの際にロータが高速で逆転すると、ピニオンギアを介してハンドルが高速回転する。このため、ロータはバランスが取れていてもハンドルがアンバランスなため、リール本体が振動することがある。また、糸繰り出しから巻き取りに入るときには、制動レバーを操作してロータを一旦停止させるか充分に減速させないと、ハンドルを握りにくい。このため、糸繰り出しから巻き取りへの動作を瞬時に行いづらい。
【０００６】
本発明の課題は、ロータドラグ型のスピニングリールにおいて、逆転時のバランスを向上させ、かつ糸繰り出しから巻き取りに入るときにハンドルを握りやすくすることにある。
【０００７】
【課題を解決するための手段】
発明１に係るスピニングリールは、釣り竿に取り付けられ、糸繰り出し時にロータを制動可能なロータドラグ型のリールであって、リール本体と、ロータと、スプールと、動力伝達機構とを備えている。リール本体は、リールボディと、リールボディから延びる釣り竿の取付部と、リールボディに回転自在に支持されたハンドルとを有している。ロータは、リールボディに前後の軸回りに回転自在に支持されている。スプールは、ロータの前方にリールボディに前後移動自在に設けられている。動力伝達機構は、リールボディに糸巻取方向にのみ回転可能に支持されハンドルに連動して回転するピニオンギアと、ピニオンギアとロータとの間に設けられそれらを係脱する係脱手段と、係脱手段を係脱操作するための操作手段と、ロータの回転に応じてスプールを前後移動させるスプール移動手段と、係脱手段を係合状態に保持する係合保持手段とを有し、ハンドルの回転に連動してロータを回転させかつスプールを前後移動させる。係脱手段は摩擦により動力を伝達し、操作手段は摩擦力を調整して係脱操作を行う。
【０００８】
このスピニングリールでは、糸繰り出し時には、ベールを糸解放姿勢にして釣り糸を繰り出す。また、釣り糸を巻き取る際には、操作手段により係脱手段を係合させた状態でハンドルを糸巻取方向に回転させると、その回転がピニオンギア及び係脱手段を介してロータに伝達されロータが糸巻取方向に回転する。一方、仕掛けに魚がかかり、ロータが糸繰り出し方向に逆転したとき、操作手段によりロータとピニオンギアとを係合させると、ピニオンギアはリールボディに対して逆転不能であるので、係脱手段の係合力に応じてロータが制動される。このとき、ピニオンギアは、逆転しないのでハンドルも逆転しない。また、ハンドルを回転させると、スプール移動手段によりスプールが前後移動して、スプールに釣り糸が均一に巻き取られる。
【０００９】
ここでは、ロータ逆転時には、ピニオンギアが回転せずアンバランスなハンドルも回転しないので、逆転時のバランスが向上し、かつ糸繰り出しから巻き取りに入るときにハンドルを握りやすい。さらに、この場合には、係脱手段が係合状態に保持されるので、糸巻き取り時に操作手段を操作して係脱手段を係合状態に維持する必要がない。また、この場合には、操作手段により摩擦力を調整して係脱手段を係脱操作することで、ロータ逆転時に任意の制動力を得ることができる。
【００１０】
発明２に係るスピニングリールは、発明１に記載のリールにおいて、前記操作手段は、リール本体に対して移動して摩擦力を調整する操作レバーを有している。この場合には、リール本体に対して操作レバーを移動させるだけで簡単に摩擦力を調整できる。
【００１１】
発明３に係るスピニングリールでは、発明２に記載のリールにおいて、前記操作レバーは、取付部に近接して前記リール本体に移動自在に配置され、釣り竿を握持する操作によって移動して摩擦力を調整する。この場合には、釣り竿を握持する操作によって操作レバーを移動させ摩擦力（制動力）を調整できるので、ハンドルを片手で操作しながら釣り竿を握ったもう一方の手で制動力の調整を行え、制動力の調整をタイミングよく容易に行える。
【００１２】
発明４に係るスピニングリールは、発明１に記載のリールにおいて、前記操作手段は、回動することでリール本体の前後に移動して摩擦力を調整する回動部材を有している。この場合には、回転部材を回動させることで前後に移動させて係脱手段を操作できるので、摩擦力を細かく調整できる。
【００１３】
発明５に係るスピニングリールは、発明４に記載のリールにおいて、ロータは、ピニオンギアと一体回転する筒状体に回転自在に支持されている。この場合には、ロータとピニオンギアとが近接して配置されるので、係脱手段の構成が簡素になる。
【００１４】
発明６に係るスピニングリールは、請求項１から５のいずれかに記載のリールにおいて、前記スプール移動手段は、ロータと連動回転してスプールを前後移動させる。この場合には、ロータ逆転時にピニオンギアが回転しなくてもロータさえ回転していればスプールが確実に前後移動するので、ロータ逆転時に釣り糸が整然と繰り出される。
【００１５】
発明７に係るスピニングリールは、請求項１から６のいずれかに記載のリールにおいて、リールボディを取付部にハンドルの回転軸と平行な軸回りに揺動可能に連結する連結手段と、リールボディの揺動位置を調整するための揺動位置調整手段とをさらに備えている。この場合には、釣り竿の最もリールよりの糸ガイドとリールとを結ぶ線上にロータの回転軸が近づくように揺動位置を調整することで、ロータから繰り出される釣り糸のシャクリ現象（上下に移動してみかけの制動力が変動する現象）を低減できる。
【００１６】
発明８に係るスピニングリールは、請求項７に記載のリールにおいて、前記連結手段は、前記リールボディを前記取付部に前記ハンドル軸回りに揺動自在に連結する。この場合には、ハンドル軸を揺動軸と兼用できるので、揺動機構の構成が容易になる。
【００１７】
発明９に係るスピニングリールは、請求項１から８のいずれかに記載のリールにおいて、スプール移動手段は、係脱手段を経由することなくロータと連動回転してスプールを前後移動させる。
【００１８】
ここでは、ロータ逆転時には、ピニオンギアが回転せずアンバランスなハンドルも回転しないので、逆転時のバランスが向上し、かつ糸繰り出しから巻き取りに入るときにハンドルを握りやすい。さらに、この場合には、ロータ逆転時にピニオンギアが回転しなくてもロータさえ回転していればスプールが確実に前後移動するので、ロータ逆転時に釣り糸が整然と繰り出される。
【００１９】
【発明の実施の形態】
〔全体構成〕
図１に示す本発明の一実施形態によるスピニングリールは、ハンドル１を備えたリール本体２と、リール本体２の前部に前後の軸回りに回転自在に支持されたロータ３と、ロータ３の前方に配置され釣り糸を巻き取るスプール４とを備えている。
【００２０】
リール本体２はリールボディ２ａを有しており、その上部にはスピニングリールを釣り竿に取り付けるための取付部２ｂが形成されている。取付部２ｂの上面は釣り竿に密着する取付面２ｃとなっている。リールボディ２ａの内部には、ハンドル１の回転に連動してロータ３を回転させかつスプール４を前後移動させる動力伝達機構５が設けられている。
【００２１】
ロータ３は、円筒部３ａと、円筒部３ａの側方に互いに対向して設けられた第１アーム部３ｂ及び第２アーム部３ｃとを有している。円筒部３ａの前壁３ｄの中央部には貫通孔３ｆを有するボス部３ｅが形成されている。この貫通孔３ｆには、図２に示すように、２つの軸受１５，１６が間隔を隔てて配置されており、この軸受１５，１６によりロータ３がピニオンギア１２（後述）に回転自在に装着されている。また円筒部３ａの後端内面には、動力伝達用の内歯３ｇが周方向に沿って形成されている。第１アーム部３ｂの先端と第２アーム部３ｃの先端部との間には、釣り糸を案内するラインローラ９ａ及びベール９ｂを有するベールアーム９が揺動自在に設けられている。
【００２２】
スプール４は、ロータ３の第１アーム部３ｂと第２アーム部３ｃとの間に配置されており、前後に延びるスプール軸８の先端に固定されている。スプール４は、外周に釣り糸が巻かれる糸巻き胴部４ａと、糸巻き胴部４ａの後部に一体成形されたスカート部４ｂと、糸巻き胴部４ａの前端に固定されたフランジ部４ｃとを有している。スプール軸８は、レベルワインド機構７により前後方向に移動可能である。
【００２３】
〔動力伝達機構の構成〕
動力伝達機構５は、ロータ３を回転させるとともに制動するためのロータ駆動制動機構６と、スプール４を回転軸芯Ｘに沿って前後方向に移動させてスプール４に釣り糸を均一に巻き取るためのレベルワインド機構７とを含んでいる。
【００２４】
ロータ駆動制動機構６は、ハンドル１が固定されたハンドル軸１０とともに回転するマスターギア１１と、このマスターギア１１に噛み合うピニオンギア１２と、ピニオンギア１２とロータ３とを係脱するクラッチ機構１３と、クラッチ機構１３を操作するための操作機構１４とを有している。
【００２５】
ハンドル軸１０は左右に延びており、リールボディ２ａに回転自在に支持されている。
【００２６】
ピニオンギア１２は、図２に示すように、筒状に形成されており内部にスプール軸８が貫通している。ピニオンギア１２は、軸受１８，１９によりリールボディ２ａに回転自在に支持されている。ピニオンギア１２は、筒部１２ａと筒部１２ａの後部に形成された歯部１２ｂとを有している。筒部１２ａはロータ３の中心部を貫通してスプール４側に延びており、前部にネジ部１２ｃが形成されている。この筒部１２ａに軸受１５，１６が装着され、筒部１２ａによりロータ３を回転自在に支持している。ネジ部１２ｃにはナット１７が螺合しており、軸受１５を固定している。また、筒部１２ａには、図３に示すように、回り止めのための互いに平行な面取り部１２ｄが形成されている。また、軸受１８の前方においてピニオンギア１２とリールボディ２ａとの間には、ローラ型のワンウェイクラッチ２０が装着されており、ピニオンギア１２はワンウェイクラッチ２０により糸巻取方向にのみ回転可能である。ワンウェイクラッチ２０は、リールボディ２ａに固定され内部に鋸歯状の凹凸が形成された外輪２０ａと、ピニオンギア１２に回転不能に装着された内輪２０ｂと、外輪２０ａと内輪２０ｂとの間に配置された転動コロ２０ｃと有している。
【００２７】
クラッチ機構１３は、係脱部２１と、係脱部２１を係合状態で保持する係合保持部２２とを有している。
【００２８】
係脱部２１は、図２及び図３に示すように、リールボディ２ａの後端に固定にされた受け部材３１と、受け部材３１の後方にそれに対向してロータ３に回転かつ移動不能に装着された受け板３２と、受け板３２の後方にそれに対向してピニオンギア１２に回転不能かつ軸方向に移動可能に装着されたクラッチ板３３とを有している。
【００２９】
受け部材３１は、リールボディ２ａの前つば部２ｄの先端にネジ止めされた円板状の部材であり、受け板３２との間には保持器（図示せず）により保持された金属球３５が周方向に等間隔に配置されている。この受け部材３１と受け板３２と金属球３５とでスラスト軸受が構成されている。
【００３０】
受け板３２は、ロータ３のボス部３ｅ後端に形成された上下１対の凸歯３ｈが嵌め込まれる円弧孔３６が形成された円板部３７と、ボス部３ｅ内に嵌め込まれる筒部３８とを有している。この筒部３８の内部に軸受１６が収納されている。
【００３１】
クラッチ板３３は、受け板３２側に配置された金属製のクラッチディスク４０と、クラッチディスク４０を固定した円板状のディスク取付部４１と、ディスク取付部４１を回転不能かつ軸方向移動自在に支持する円筒状の連結部材４２とを有している。ディスク取付部４１には、スプライン内歯４１ａを有する貫通孔４１ｂが中心に形成されている。連結部材４２には、面取り部１２ｄに係合する小判形状の貫通孔４２ａが中心に、スプライン内歯４１ａに噛み合うスプライン外歯４２ｂが外周面に形成されている。これにより、連結部材４２はピニオンギア１２に回転不能に連結される。また、外周面には周方向に切欠き部４２ｃが形成されている。この切欠き部４２ｃにはクラッチ板３３を後方に付勢する円錐コイルバネ４３の小径側の端部が係止されている。円錐コイルバネ４３の大径側の端部は、ディスク取付部４１の前面に係止されている。また、連結部材４２とワンウェイクラッチ２０の内輪との間にはワッシャ４５が配置されている。
【００３２】
操作機構１４は、操作レバー５０を有している。操作レバー５０は、リールボディ２ａと取付部２ｂとの境界部分において、リールボディ２ａに支持軸５１により揺動自在に支持されており、かつ図示しない付勢部材により矢印Ａ（反時計回り）に付勢されている。操作レバー５０は、支持軸５１から湾曲して斜め上方に延びるレバー部５０ａと、支持軸３３から湾曲して斜め前方に延びる先端に設けられた係脱作用部５０ｂとを有している。係脱作用部５０ｂには回転自在に金属球５２が嵌め込まれている。この係脱作用部５０ｂは、クラッチ板３３の後面を押圧してクラッチ板３３を前方に移動させ受け板３２に圧接させる。
【００３３】
係合保持部２２は、操作レバー５０を図４に示す離脱位置と図５に示す係合位置との間で切換可能であり、かつ係合状態で操作レバー５０を保持可能である。係合保持部２２は、リールボディ２ａの後部にスプール軸８と平行な軸回りに回転自在に支持された揺動軸６０と、揺動軸６０の先端に回動不能かつ軸方向に移動自在に支持された移動軸６１と、揺動軸６０と移動軸６１との間に配置され移動軸６１を前方に付勢する調整バネ６２とを有している。
【００３４】
揺動軸６０の後端には揺動レバー６３が回転不能に取り付けられており、揺動軸６０は揺動レバー６３により左４５度（図４の位置）と右４５度（図５の位置）との間で９０度揺動する。揺動軸６０の軸芯部には、調整ネジ６４がねじ込まれている。調整ネジ６４の先端は、揺動軸６０に軸方向に移動自在に直径上に装着された調整ピン６５に当接している。調整ピン６５の両端は揺動軸６０から外方に延びており、調整バネ６２の後端に接触している。調整ネジ６４により調整ピン６５を軸方向に前後に移動させることで調整バネ６２のバネ強さ（移動軸６１への付勢力）を調節可能である。この付勢力を調整することで、係合状態での制動力を任意に調整できる。また、揺動軸６０の先端には移動軸６１との結合用のスプライン外歯６０ａが形成されている。
【００３５】
移動軸６１は、先端に制動レバー５０に形成された当接面５０ｃに当接可能な当接部６１ａを有している。当接部６１ａは、リールボディ２ａに移動自在に支持されている。また、移動軸６１は、当接部６１ａに連なる大径部６１ｂを有している。大径部６１ｂの中心部には、揺動軸６０のスプライン外歯６０ａに噛み合うスプライン内歯６１ｃが形成されている。大径部６１ｂの外周面には、径方向に突出する円柱状のカム突起６１ｄが設けられている。このカム突起６１ｄは、リールボディ２ａに形成された傾斜カム６６に沿って移動するように配置されている。このカム突起６１ｄが、揺動軸６０の揺動および調整バネ６２の付勢力により傾斜カム６６にそって移動することで、移動軸６１が軸方向に進退して操作レバー５０を揺動させる。
【００３６】
レベルワインド機構７は、スプール軸８を前後方向に移動させてスプール４を同方向に往復移動させて釣り糸をスプール４に均一に巻き取るための機構である。レベルワインド機構７は、図１及び図２に示すように、スプール軸８の下方に配置された螺軸７１と、スプール軸８の後端が固定され螺軸７１に沿って前後方向に移動するスライダ７２と、螺軸２１の先端に固定された第１中間ギア７３とを有している。螺軸７１の外周面には交差する２条の螺旋溝７１ａが形成されている。スライダ７２は、螺旋溝７１ａに係合する係合部材（図示せず）を有しており、図示しないガイド機構によりスプール軸８に平行に案内される。第１中間ギア７３は、その下方に配置された第２中間ギア７４に噛み合っている。第２中間ギア７４は、リールボディ２ａの前つば部２ｄに回転自在に支持された中間軸７５の後端に固定されている。中間軸７５の先端にはロータ３の内歯３ｇと噛み合う第３中間ギア７６が固定されている。このレベルワインド機構７では、ロータ３が回転するとその回転力が内歯３ｇ，第３，第２，第１中間ギア７６，７４，７３を介して螺軸７１に伝達され、スライダ７２が前後に往復移動する。
【００３７】
〔リールの操作及び動作〕
キャスティング時には、ベールアーム９を糸開放姿勢側に倒し、釣り竿を振り出すことにより、スプール４の外周に巻かれた釣り糸が仕掛けの自重により繰り出される。
【００３８】
釣り糸を巻き取るときには、ベールアーム９を糸巻取姿勢に戻す。また、揺動レバー６３を左４５度から右４５度に揺動させて、係脱部２１を係合状態にする。すなわち、揺動レバー６３をこのように揺動させると、揺動軸６０が揺動しスプライン結合された移動軸６１も揺動する。移動軸６１が揺動すると、その大径部６１ｂの外周面に設けられたカム突起６１ｄが傾斜カム６６に沿って前方に移動し、移動軸６１が前進して当接部６１ａの先端が操作レバー５０の当接面５０ｃに当接して操作レバー５０を係合位置に揺動させる。操作レバー５０が係合位置に揺動すると、係脱作用部５０ｂがクラッチ板３３の後面を押圧してクラッチ板３３を前方に移動させ、受け板３２に圧接させる。この結果、係脱部２１が係合状態に保持される。
【００３９】
この状態でハンドル１を糸巻取方向に回転させると、この回転力はハンドル軸１０、マスターギア１１を介してピニオンギア１２に伝達される。このとき、糸巻取方向への回転であるので、ピニオンギア１２はワンウェイクラッチ２０により回転が許容される。このピニオンギア１２に伝達された回転力は、係合状態の係脱部２１を介してロータ３に伝達される。また、ロータ３が回転すると内歯３ｇを介してその回転がレベルワインド機構７に伝達され、スプール軸８が前後方向に往復移動してスプール４に釣り糸が均一に巻き取られる。
【００４０】
ロータ３を逆転させて魚とやりとりするときには、揺動レバー６３を左４５度に揺動させて係脱部２１を離脱状態にする。揺動レバー６３を右４５度から左４５に揺動させると、カム突起６１ｄが傾斜カム６６に沿って後退し、移動軸６１が後退する。そして、操作レバー５０が図示しない付勢部材によって離脱位置まで復帰する。この状態で操作レバー５０を操作し魚とのやりとりを行う。釣り糸が魚により引かれてロータ３が逆転すると受け板３２に伝達され受け板３２がロータ３と一体で回転する。そして、操作レバー５０を図１の矢印Ａと逆方向に揺動すると、係脱作用部５０ｂがクラッチ板３３を押圧し、受け部材３１によりクラッチ板３３を軸方向に受けられた受け板３２に圧接させる。このとき、ピニオンギア１２はワンウェイクラッチ２０により逆転不能なため、ピニオンギア１２に回転不能に連結されたクラッチ板３３は逆転しない。この結果、逆転するロータ３に制動力が作用する。この操作レバー５０に加える力を加減することで制動力を調整してロータ３の逆転量を任意に調整できる。
【００４１】
このとき、ピニオンギア１２が回転しないため、マスターギア１１が回転せずハンドル１が回転しない。このため、逆転時のバランスが向上し、かつ糸繰り出しから巻き取りに入るときにハンドルを握りやすい。また、回転部分が減るので、逆転時の音が静かになる。一方、ロータ３が逆転すると、その回転力が内歯３ｇを介してレベルワインド機構７に伝達され、螺軸７１ａが回転してスライダ７２が往復移動する。この結果、スプール４に巻き付けられた釣り糸が整然と繰り出される。
【００４２】
釣り場を移動するときやリールを収納するときにも、揺動レバー６３を左４５度から右４５度に揺動させて、係脱部２１を係合状態にする。この結果、ロータ３の逆転が禁止され、スプール４に巻き付けられた釣り糸が仕掛けの自重等によりむやみに繰り出されることがない。
【００４３】
〔他の実施形態〕
（ａ）  図６に示すように、リールボディ２ａを取付部２ｂに揺動自在に装着してもよい。この実施形態では、操作部材８０は、図７に示すように、先端に係脱作用部８０ｂを有する棒状部材であり、リールボディ２ａの前つば部２ｄに螺合している。また、後端に回動操作用のダイヤル８０ａを有している。このダイヤル８０ａを回動させることで、操作部材８０が前後に移動して係脱部２１を係脱でき、かつ任意の制動力（ドラグ力）を細かく得ることができる。
【００４４】
取付部２ｂは、図６に示すように、リールボディ２ａをハンドル軸１０回りに回転自在に連結している。取付部２ｂの下端に形成された凹所８２には、リールボディ２ａの揺動位置を調整するための揺動位置調整部８１が設けられている。揺動位置調整部８１は、凹所８２にスプール軸８と平行に配置された調整軸８３と、リールボディ２ａに設けられた係合部９０とを有している。
【００４５】
調整軸８３は、凹所８２の両側で取付部２ａの下端に回転自在に支持されている。調整軸８３の後端には揺動位置調整用の把手部８４が形成されている。調整軸８３の凹所８２に配置された部分にはネジ部８５が形成されている。
【００４６】
リールボディ２ａの下端には下方に突出する突出部２ｅが形成されている。この突出部２ｅの内部には、図８及び図９に示すように、前後に貫通する矩形状の貫通孔２ｆが形成されており、この貫通孔２ｆに係合部９０が設けられている。係合部９０は、ネジ部８５に螺合するナット部９１を有している。ナット部９１は、両側に突出する揺動軸９２を有している。揺動軸９２は、軸受９３に回動自在に支持されている。この軸受９３は、貫通孔２ｆに形成されたガイド部９４に上下移動自在に支持されている。
【００４７】
このような構成の揺動位置調整部８１では、把手部８４を回動することで調整軸８３が回動し、ネジ部８５に螺合したナット部９１が前後に移動する。これによりリールボディ２ａがハンドル軸１０回りに揺動する。
【００４８】
この揺動角度を調整しないと、図１０（Ａ）に示すように、ラインローラ９ａが釣り竿Ｆに接近した位置と離反した位置とで、釣り竿Ｆの第１ガイドＧ（リールに最も近いガイド）までの距離と角度とが異なることになる。このため、逆転時のトルクが一定でも釣り糸に作用する張力が変動し、ロータ逆転時に制動すると、釣り糸が上下にバタバタするとともに釣り糸のみかけの制動力が変動するいわゆるシャクリ現象が生じる。しかし、図１０（Ｂ）に示すように、スプール４の軸芯が釣り竿Ｆの第１ガイドＧに向くように揺動角度を調整すると、釣り竿Ｆの第１ガイドＧまでの距離と角度とが両位置で略等しくなるので、シャクリ現象が解消する。なお、この揺動角度の調整は、釣り竿に合わせて行えばよい。また、同じ釣り竿でもドラグ力の相違によるしなり具合で第１ガイドまでの角度が変化するときには、ドラグ力に合わせて調整してもよい。この場合、ドラグ力をダイヤル８０ａで調整して実際に釣り糸を繰り出してロータ３を逆転させながら、スプール４の軸芯を第１ガイドＧに合わせてドラグシャクリが解消するように揺動角度を調整すればよい。
【００４９】
（ｂ）  係脱部２１の構成は上記実施形態に限定されるものではなく、受け板３２及びクラッチ板３３を、図１１に示すように、コップ状の部材で構成し、リング状の受け部材３１と受け板３２と金属球３５とでラジアル軸受を構成するようにしてもよい。この場合、操作レバー５０の先端上面に係脱作用部５０ｂを設け、揺動によりクラッチ板３２を倒して受け板３２にクラッチ板３３を圧接すればよい。
【００５０】
【発明の効果】
本発明に係るスピニングリールでは、ロータ逆転時には、ピニオンギアが回転せずアンバランスなハンドルも回転しないので、逆転時のバランスが向上し、かつ糸繰り出しから巻き取りに入るときにハンドルを握りやすい。
【図面の簡単な説明】
【図１】本発明の一実施形態によるスピニングリールの側面破断図。
【図２】係脱部の要部断面拡大図。
【図３】係脱部の分解斜視図。
【図４】係合保持部の要部断面拡大図。
【図５】係合保持部の動作を説明する要部断面拡大図。
【図６】他の実施形態によるスピニングリールの側面図。
【図７】その図２に相当する図。
【図８】揺動位置調整部の断面部分図。
【図９】図８のIX−IX断面図。
【図１０】その揺動位置の設定の仕方を説明する図。
【図１１】別の実施形態の図２に相当する図。
【符号の説明】
１  ハンドル
２  リール本体
２ａ  リールボディ
２ｂ  取付部
３  ロータ
３ｇ  内歯
４  スプール
５  動力伝達機構
６  ロータ駆動制動機構
７  レベルワインド機構
１０  ハンドル軸
１２  ピニオンギア
１２ａ  筒部
１３  クラッチ機構
１４  操作機構
２０  ワンウェイクラッチ
２１  係脱部
２２  係合保持部
３１  受け部材
３２  受け板
３３  クラッチ板
８０  操作部材
８１  揺動位置調整部
【図１】
0003585318.tif 000002
【図２】
0003585318.tif 000003
【図３】
0003585318.tif 000004
【図４】
0003585318.tif 000005
【図５】
0003585318.tif 000006
【図６】
0003585318.tif 000007
【図７】
0003585318.tif 000008
【図８】
0003585318.tif 000009
【図９】
0003585318.tif 000010
【図１０】
0003585318.tif 000011
【図１１】
0003585318.tif 000012